(57)【要約】【課題】施工時に取り付け、取り外しが容易で、集水ます本体のメンテナンスも簡単に行える集水ますの取付け構造を提供する。【解決手段】略中央部に落とし筒部５が設けられた蓋体Ａと集水ます本体Ｂとからなる集水ますの取付け構造であって、上記蓋体Ａの下面一側には水平内方に突出する保持部１が設けられ、上記下面一側に対向する側の略中央部には水平内方に突出する弾性係止部２が設けられ、上記集水ます本体Ｂ上面の開口部周縁には係止用鍔部３が設けられるとともに、上記係止用鍔部３は上記保持部１と弾性係止部２とによって着脱自在に係止されてなる集水ますの取付け構造。【選択図】図２
2008267004.tif 000002
【特許請求の範囲】
【請求項１】
略中央部に落とし筒部が設けられた蓋体と集水ます本体とからなる集水ますの取付け構造であって、上記蓋体の下面一側には水平内方に突出する保持部が設けられ、上記下面一側に対向する側の略中央部には水平内方に突出する弾性係止部が設けられ、上記集水ます本体上面の開口部周縁には係止用鍔部が設けられるとともに、上記係止用鍔部は上記保持部と弾性係止部とによって着脱自在に係止されてなる集水ますの取付け構造。
【請求項２】
上記保持部を主保持片と副保持片とから構成し、上記係止用鍔部が主保持片と副保持片とによって挟持するように係止される請求項１に記載の集水ますの取付け構造。
【請求項３】
上記蓋体が方形であり、上記集水ます本体が角樋用である請求項１に記載の集水ますの取付け構造。
【請求項４】
上記集水ます本体がポーチますである請求項１に記載の集水ますの取付け構造。
【発明の詳細な説明】
【技術分野】
【０００１】
本発明は、集水ますの構造に関する。さらに詳しくは、平坦な庇部分に降った雨水を排水するための集水ますの取付け構造に関する。
【背景技術】
【０００２】
従来、住宅の玄関先を覆う玄関ポーチのような平坦な庇部分に降った雨水は、玄関ポーチ本体を貫通して設けられた排水管から、その下方に取り付けられた集水ますに流下し、集水ますの下面に接続された落水筒を介して竪樋に排水される。通常、上記集水ますは庇部分の裏面、例えば、玄関ポーチの天井面に直接取り付けられることはなく、まず、蓋体を上記天井面にビス留め等によって固定し、この蓋体に集水ます本体を嵌着させる方法が採られる。
【０００３】
例えば、下記特許文献１には、合成樹脂から一体的に成型された蓋体と、同じく、合成樹脂から一体的に成型された集水ます本体とからなる雨樋集水ますが開示されている。すなわち、下記特許文献１の第１図に示されているように、蓋体は、その蓋板部の中央に落とし筒部が設けられるとともに、上記庇部分の裏面にビス固定するためのビス孔が穿設され、蓋体の周壁部の下端には、内方へ折曲した係止片が設けられている。
【０００４】
一方、集水ます本体の上縁の全周に亘っては、段状周壁部が設けられているため、上記蓋体の周壁部を上記集水ます本体の段状周壁部の外側に嵌合し、上記蓋体の周壁部の下端に付設された上記係止片を上記段状周壁部の下縁に弾性係止することにより上記蓋体に集水ます本体が嵌着される。
【特許文献１】実用新案登録公報  第２５１１３４３号（第１〜３頁、第１図）
【発明の開示】
【発明が解決しようとする課題】
【０００５】
しかしながら、上記特許文献１に記載の雨樋集水ますは、一旦、嵌着した後、取り外す場合、集水ます本体のかなり肉厚の段状周壁部を弾性変形させて取り外さなけれならず、集水ます本体に溜まった落ち葉やゴミをそうじする際、あるいは、種々のメンテナンスの際、集水ます本体の取り外しに手間がかかるという問題がある。
【０００６】
本発明はこのような問題を解決して、施工時に取り付けが容易で、かつ、取り外しも容易に行え、集水ます本体のメンテナンスを簡単に行うことのできる集水ますの取付け構造を提供することを、その課題とする。
【課題を解決するための手段】
【０００７】
上記課題を解決するために、本発明においては、つぎのような技術的手段を講じている。すなわち、請求項１に記載の発明によれば、略中央部に落とし筒部が設けられた蓋体と集水ます本体とからなる集水ますの取付け構造であって、上記蓋体の下面一側には水平内方に突出する保持部が設けられ、上記下面一側に対向する側の略中央部には水平内方に突出する弾性係止部が設けられ、上記集水ます本体上面の開口部周縁には係止用鍔部が設けられるとともに、上記係止用鍔部は上記保持部と弾性係止部とによって着脱自在に係止されてなる集水ますの取付け構造が提供される。
【０００８】
上記蓋体と集水ます本体の材質は、特に限定されるものではないが、弾性を有する合成樹脂、例えば、硬質塩化ビニル樹脂、ポリエチレン、ポリプロピレン、ポリカーボネートから一体的に成型されたものであることが好ましい。
【０００９】
請求項２に記載の集水ますの取付け構造は、請求項１に記載の発明に加えて、上記保持部を主保持片と副保持片とから構成し、上記係止用鍔部が主保持片と副保持片とによって挟持するように係止される。
【００１０】
請求項３に記載の集水ますの取付け構造は、請求項１に記載の発明に加えて、上記蓋体が方形であり、上記集水ます本体が角樋用とされる。
【００１１】
請求項４に記載の集水ますの取付け構造は、上記集水ます本体がポーチますとされる。例えば、住宅の玄関先を覆う玄関ポーチのような平坦な庇部分を貫通して設けられる玄関ポーチますとされる。
【発明の効果】
【００１２】
請求項１に記載の発明にかかる集水ますの取付け構造は上記のとおりであり、蓋体と集水ます本体とからなり、上記蓋体の下面一側には水平内方に突出する保持部が設けられ、上記下面一側に対向する側の略中央部には水平内方に突出する弾性係止部が設けられているため、集水ます本体上面の開口部周縁に周設された係止用鍔部を保持部に係合するとともに、この保持部部分を軸にして回動させ、係止用鍔部の他の部分で弾性係止部を押し上げ、この部分を係止用鍔部の上に載せることにより、上記集水ます本体を容易に蓋体に取り付けることができる。
【００１３】
また、集水ます本体の側面部を押して弾性変形させ、上記係止用鍔部と弾性係止部との係合を解除することにより、容易に集水ます本体を蓋体から取り外すことができるため、着脱が容易であり、集水ます本体に溜まった落ち葉やゴミのそうじや、あるいは種々のメンテナンスを簡単に行うことができる。
【００１４】
請求項２に記載の集水ますの取付け構造は上記のとおりであり、請求項１の集水ますの取付け構造の有する効果に加え、上記保持部を主保持片と副保持片とから構成し、上記係止用鍔部が主保持片と副保持片とによって挟持するように係止されるため、上記集水ます本体を蓋体にしっかりと取り付けることができる。
【００１５】
請求項３に記載の集水ますの取付け構造は上記のとおりであり、請求項１の集水ますの取付け構造の有する効果に加え、上記蓋体を方形とし、上記集水ます本体を角樋用とすることにより、意匠性に優れたものとすることができるとともに、上記蓋体の取り付け、取り外しを容易に行える。
【００１６】
請求項４に記載の集水ますの取付け構造は上記のとおりであり、請求項１の集水ますの取付け構造の有する効果に加え、上記集水ます本体をポーチますとすることにより、玄関ポーチ等、平らな庇の上面に降った雨水を効率よく排水することができる。
【発明を実施するための最良の形態】
【００１７】
以下、本発明について図面を参照して詳細に説明する。図１は、本発明にかかる集水ますの取付け構造の一実施形態を示す説明図である。図１に示すように、上記集水ますの取付け構造は、略中央部に落とし筒部５が設けられた方形の蓋体Ａと、角樋用の集水ます本体Ｂとから構成され、上記蓋体Ａは、玄関ポーチＰの裏面に固定用ビスでビス固定される。また、この集水ます本体Ｂの上面の開口部周縁には、全周に亘って係止用鍔部３が外方に突設され、集水ます本体Ｂの下面には、竪樋接続部４が設けられている。上記のように構成された集水ますの取付け構造は、玄関ポーチＰを貫通して設けられた排水管７からの雨水を受けるように配設される。
【００１８】
図２は、上記略中央部に落とし筒部５が設けられた蓋体Ａの下面図である。図２に示されるように、上記蓋体Ａの下面の一辺には水平内方に突出する保持部１が設けられ、この保持部１は、略中央部に設けられる主保持片１１と両端部で水平内方に突出する副保持片１２とからなり、上記主保持片１１と副保持片１２とは、上下方向に上記係止用鍔部３の厚み分の差をつけて設けられている（図５参照）。
【００１９】
上記保持部１に対向する他辺の略中央部には、水平内方に突出する弾性係止部２が設けられ、上記係止用鍔部３は上記保持部１と弾性係止部２とによって着脱自在に係止される。また、上記弾性係止部２には、メンテナンス等の際、下から見上げたとき、取り外し側であることが簡単にわかるように、「取り外し側」という表示２１がされている。さらに、蓋体Ａには、ビス孔８が設けられ、固定用ビスによって玄関ポーチＰの裏面に固定される。
【００２０】
つぎに、本発明の集水ますの取付け構造を用いて、集水ます本体Ｂを蓋体Ａに取り付ける方法について説明する。図２に示すように、上記保持部１側の蓋体裏面には、例えば、「こちらを先に差し込んでください」との表示を設け、ついで上記主保持片１１と副保持片１２との間に上記集水ます本体Ｂの係止用鍔部３を差し込み、図３に矢印で示す方向に回動する。そして、上記蓋体Ａに設けられた弾性係止部２に、係止用鍔部３を弾性変形させながら内側に押し込み、押し上げ、弾性復帰させながら上に重ねて係止させる。このようにすることによって、集水ます本体Ｂを蓋体Ａに着脱自在に取り付けることができる。
【００２１】
図４は、上記した方法によって玄関ポーチＰの裏面に取り付けられた本発明の集水ますの取付け構造を示す外観斜視図である。図５は、上記集水ますの取付け構造の要部を示す縦断面図である。
【００２２】
集水ます本体Ｂ内に溜まった落ち葉やゴミ等をそうじする場合は、上記蓋体Ａの「取り外し側」という表示２１のある弾性係止部２側の集水ます本体Ｂの側面を弾性変形させながら内側に押し込み、弾性係止部２との係止状態を解除した後、該係止用鍔部３を下方に移動させる。すなわち、集水ます本体Ｂの側面を押して弾性変形させるとともに、弾性係止部２との係合を解除し、図３に示す矢印と反対方向に係止用鍔部３を回動させ、ついで、主保持片１１と副保持片１２との間に保持された鍔部３を抜く。このようにすることによって、集水ます本体Ｂを蓋体Ａから簡単に取り外すことができる。通常は、上記のように構成された本発明にかかる集水ます本体Ｂの下面に垂設された竪樋接続部４に竪樋を、直接あるいはエルボを介して接続することにより玄関ポーチＰの上面に降った雨水は効率よく排水される。
【００２３】
図６は、上記集水ます本体Ｂの竪樋接続部４にエルボ６を接続した状態を示す外観斜視図である。なお、上記実施形態は、方形の蓋体Ａと、角樋用の集水ます本体Ｂとから構成される集水ますの取付け構造について説明したが、これに限られず、蓋体および集水ますが断面略円形状に形成されていてもよい。このように本発明は設計変更自在であり、特許請求の範囲を逸脱しない限り、本発明の技術的範囲に属する。
【図面の簡単な説明】
【００２４】
【図１】本発明にかかる集水ますの取付け構造の一実施形態を示す説明図である。
【図２】方形に形成された本発明にかかる蓋体の下面図である。
【図３】本発明にかかる集水ます本体を蓋体に取り付ける方法を示す説明図である。
【図４】玄関ポーチの裏面に取り付けられた本発明の集水ますの取付け構造を示す外観斜視図である。
【図５】本発明にかかる集水ますの取付け構造の要部を示す縦断面図である。
【図６】本発明にかかる集水ます本体の竪樋接続部にエルボを接続した状態を示す外観斜視図である。
【符号の説明】
【００２５】
Ａ          本発明にかかる蓋体
Ｂ          本発明にかかる集水ます本体
Ｐ          玄関ポーチ
１          保持部
１１        主保持片
１２        副保持片
２          弾性係止部
２１        表示
３          係止用鍔部
４          竪樋接続部
５          落とし筒部
６          エルボ
７          排水管
８          ビス孔
【図１】
2008267004.tif 000003
【図２】
2008267004.tif 000004
【図３】
2008267004.tif 000005
【図４】
2008267004.tif 000006
【図５】
2008267004.tif 000007
【図６】
2008267004.tif 000008